(57)【特許請求の範囲】
【請求項１】
設置面から所定高さで支持され、かつ移動自在に構成された本体ケーシング内に、ファン及びフィルタを内蔵し、同本体ケーシングの立面部に、略水平方向に吸気する吸気口を設け、さらに、本体ケーシングの上下端部には、吸気方向と略直交した上下垂直方向に送風する送風口を、端面全体にそれぞれ設け、前記上下垂直方向への送風により、この送風に対して直交方向に向かう誘引流を発生させ、しかも、前記本体ケーシングの下端部に設けた送風口からの風速を、前記本体ケーシングの上端部に設けた送風口からの風速よりも大きくしたことを特徴とする空気清浄機。
【発明の詳細な説明】
【０００１】
【発明の属する技術分野】
本発明は、空気清浄機に関するものである。
【０００２】
【従来の技術】
従来の空気清浄機は、汚染空気のを吸気口からの吸引力のみによって吸引して浄化するようにしていたものが多く、これではどうしても吸引効率が低くなり、清浄機本体周辺のみの空気清浄しか行われないものであった。
【０００３】
そこで、近年では、複数の送風機でエアカーテンを形成するとともに、同エアカーテンで旋回気流を形成し、この旋回気流の仮想中心軸上に配設した吸気口の吸引力で人工龍巻を発生させて、清浄機本体から離隔した汚染空気も効率良く吸入・浄化可能としたものが提案されている。
【０００４】
例えば、特開平７−２０４４３６号公報においては、テーブル式の空気清浄機本体の上面に吸気口を設け、同吸気口の上部近傍に、複数個の送風機を周囲に立設したものが開示されている。
【０００５】
【発明が解決しようとする課題】
ところが、上記した従来の空気清浄機は、移動の容易さの点においてまだ十分とはいえず、さらに、集塵能力の点でも課題が残されていた。
【０００６】
すなわち、テーブル式としているために、どうしても上面面積が広くなり、室内における占有面積が大きくなってしまっていた。
【０００７】
また、テーブルを利用するためにはどうしても室内の略中央付近に設置することになり、設置場所を自由に決定することが難しかった。
【０００８】
また、柱状に立設した送風機が邪魔であり、室内空間において違和感を与えるものとなっていた。
【０００９】
さらに、旋回吸引気流は上方から下方へ向かうために、水平方向に広がる室内全体からは広範囲に効果的に汚染空気を吸引することができないものであった。
【００１０】
特に、送風機が柱状に立設しており、送風機からの送風により形成されるエアカーテンの高さも高くなるので、同エアカーテンの側部の汚染空気は吸引されにくく、室内の隅部などに立ち込める煙草の煙等の臭いはいつまでも残ることが多かった。
【００１１】
本発明は、かかる課題を解決することのできる空気清浄機を提供することを目的としている。
【００１２】
【課題を解決するための手段】
そこで、上記課題を解決するために、請求項１記載の本発明では、設置面から所定高さで支持され、かつ移動自在に構成された本体ケーシング内に、ファン及びフィルタを内蔵し、同本体ケーシングの立面部に、略水平方向に吸気する吸気口を設け、さらに、本体ケーシングの上下端部には、吸気方向と略直交した上下垂直方向に送風する送風口を、端面全体にそれぞれ設け、前記上下垂直方向への送風により、この送風に対して直交方向に向かう誘引流を発生させ、しかも、前記本体ケーシングの下端部に設けた送風口からの風速を、前記本体ケーシングの上端部に設けた送風口からの風速よりも大きくした空気清浄機とした。したがって、誘引流がガイドとなって、浄化すべき空間内においては、本体ケーシングから離れた汚染空気も効率良く吸引・浄化することができるので、邪魔にならない適当な場所に設置して使用することができる。しかも、垂直下方への送風により生起される誘引流の密度が大となるとともに、垂直下方に形成されるエアカーテン周りには、垂直上方に形成されるエアカーテン周りよりも低圧の領域が形成され、浄化すべき空間の下部の浮遊塵はもとより、上部の浮遊塵も本体ケーシングに引き寄せられて吸気口から効率良く吸引・浄化することができる。
【００１５】
【発明の実施の形態】
本実施形態に係る空気清浄機は、設置面から所定高さで支持され、かつ移動自在に構成された本体ケーシング内に、ファン及びフィルタを内蔵し、同本体ケーシングの立面部に、略水平方向に吸気する吸気口を設け、さらに、本体ケーシングの上下端部には、吸気方向と略直交した上下垂直方向に送風する送風口を、端面全体にそれぞれ設け、前記上下垂直方向への送風により、この送風に対して直交方向に向かう誘引流を発生させ、しかも、前記本体ケーシングの下端部に設けた送風口からの風速を、前記本体ケーシングの上端部に設けた送風口からの風速よりも大きくしたものである。
【００１６】
すなわち、ファン及びフィルタなどからなる空気清浄機能部を内蔵した本体ケーシングを、所定高さの支柱などを介して、下面にキャスタなどを設けた台座に連設して移動自在となし、前記本体ケーシングの立面となる前側面に吸気口を設けるとともに、この吸気口を挟むように、本体ケーシングの上下端部それぞれに送風口を設け、垂直方向に送風するように構成することができる。吸気口は立面部に形成されているので吸気流は略水平方向となり、吸気方向と送風方向とは略直交することになる。
【００１７】
かかる構成とすることにより、邪魔にならない場所を適宜選んで設置することができ、使用状況に応じて効率的に室内の空気浄化が行える。
【００１８】
例えば、室内の隅部に設置して作動させると、上下垂直方向への送風に対して直交方向に向かう誘引流が発生し、同誘引流が吸気流のガイドとなって、浄化すべき空間内においては、本体ケーシングから離れた汚染空気も効率良く吸引・浄化することができる。しかも、送風を上下方向に限定しているので、風が人体に直接当たり不快感を与えるおそれがなく、また、送風方向には送風を妨げるものが殆ど無いので帯状のエアカーテンが上下に形成されやすくなって、誘引流を形成しやすい。
【００２１】
そして、本実施形態では、本体ケーシングの上下端部には、吸気方向と略直交した上下垂直方向に送風する送風口を、端面全体にそれぞれ設け、前記上下垂直方向への送風により、この送風に対して直交方向に向かう誘引流を発生させ、しかも、前記本体ケーシングの下端部に設けた送風口からの風速を、前記本体ケーシングの上端部に設けた送風口からの風速よりも大きくしている。
【００２２】
すなわち、風速が速い垂直下方への送風により生起される誘引流はその密度が大きくなり、かつ、この垂直下方に形成されるエアカーテン周りには、垂直上方への送風により形成されるエアカーテン周りよりも低圧の領域が形成される。したがって、浄化すべき空間の下部の浮遊塵はもとより、上部の浮遊塵も大きな低圧域方向に導かれ、本体ケーシングに引き寄せられて吸気口から効率良く吸引・浄化することができる。
【００２３】
【実施例】
（第１実施例）
以下、添付図に示す実施例に基づいて、本発明を具体的に説明する。
【００２４】
図１は第１実施例に係る空気清浄機Ａの使用状態を示す説明図、図２は同空気清浄機Ａの正面図、図３は同側面図、図４は空気清浄機Ａの本体ケーシング４の縦断面図、図５は同空気清浄機Ａの吸気作用を示す説明図である。
【００２５】
図１〜図５に示すように、本実施例に係る空気清浄機Ａは移動自在に設置可能なスタンド式に構成されており、下面に複数のキャスタ11を設けた円形の台座１上に支柱２を立設し、同支柱２の上端に、空気清浄機能部３を設けた本体ケーシング４を連設している。
【００２６】
そして、本体ケーシング４の立面をなす前面パネル41の略中央に吸気口５を設けるとともに、本体ケーシング４の上下端面部には、吸気方向と略直交した上下垂直方向に送風する送風口6,7 を端面全体にそれぞれ開口している。
【００２７】
９は操作盤であり、吸気口５の直下方位置に配設されている。また、48は本体ケーシング４の上面に設けたフックであり、図３に示すように、同フック48と壁体とを紐体を介して連結して転倒防止を図ることができる。
【００２８】
空気清浄機能部３は、図４に示すように、本体ケーシング４に内蔵されたファン31及び同ファン31を駆動するモータ32と、除塵作用及び消臭作用を有する空気浄化用のフィルタ33、さらに、前記した吸気口５、送風口6,7 などから構成されている。なお、前記フィルタ33は、前面パネル41の略中央に連続形成されたフィルタ収納用凹部42に着脱自在に配設されている。
【００２９】
フィルタ収納用凹部42は、蓋体43を開閉自在に取付けた前面開口部と奥部壁44とからなり、蓋体43に、ファン31の輪郭に見合う大径の吸気口５を設ける一方、奥部壁44に、ファン31の吸気部分の面積に見合う大きさの円形の連通口45を設けている。
【００３０】
さらに、奥部壁44から前方に一定の間隔ｔをあけてメッシュ状の仕切壁46を設け、同仕切壁46と蓋体43との間に、吸気口５全体よりも若干大きなフィルタ33を着脱自在に収納配設している。
【００３１】
ここで、本実施例に係る上記構成の空気清浄機Ａの各寸法について具体的に示すと以下の通りである。
【００３２】
矩形の箱型に形成した本体ケーシング４は、縦、横、幅の各寸法が、約800 、700 、350mm であり、台座１の直径は約800mm である。また、吸気口５の面積は約1500cm2 、連通口45の面積は約660cm2、送風口6,7 のうち、上側の送風口６の開口面積は約480cm2、下側の送風口７の開口面積は約380cm2であり、また、奥部壁44とメッシュ状の仕切壁46との間隔ｔは約30mmとしている。
【００３３】
さらに、支柱２の高さは、本体ケーシング４に設けた吸気口５の中心が床上から1000〜2000mmの範囲内に位置するように設定して、例えば空気清浄機Ａの近傍で喫煙した場合に煙草の煙等が円滑に吸引されるようにしている。なお、本実施例では、支柱２の高さを約1200mmとしている。
【００３４】
上記構成としたことにより、本空気清浄機Ａを例えば室内の隅部Ｃに設置して作動させると、ファン31の駆動により吸気流Ｆが発生し、浄化すべき空間Ｒの汚染空気が吸気口５から吸入され、フィルタ33を通過して浄化され、浄化された清浄空気は、上下の各送風口6,7 から垂直に送風排気される。
【００３５】
このときに、上下の各送風口6,7 からの垂直方向への送風により、図４に示すように、それぞれ帯状のエアカーテン8a,8b が形成されるとともに、かかる帯状のエアカーテン8a,8b に対して、直交方向に向かう誘引流f1,f2 が発生する。
【００３６】
そして、かかる誘引流f1,f2 が吸気流Ｆのガイドとなり、空間Ｒ内において、本体ケーシング４から離れた汚染空気も効率良く吸引・浄化されることになる。
【００３７】
また、本実施例では、下側の送風口７を上側の送風口６よりも絞って、下側の送風口７からの風速を上側の送風口６からの風速よりも大きくしている。
【００３８】
すなわち、下側の送風口７からの風速を上側の送風口６からの風速よりも速くしており、かかる構成としたことによって、図４及び図５に示すように、下側の誘引流f2が上側の誘引流f1よりもその密度が大きくなり、しかも、垂直下方に形成されるエアカーテン8bの周りには、垂直上方に形成されるエアカーテン8aの周りよりも低圧の領域が形成される。
【００３９】
したがって、図５に示すように、空間Ｒの下部の浮遊塵はもとより、上部の浮遊塵も低圧域に向かうように導かれて吸気流Ｆに乗ることになり（矢印F'）、本体ケーシング４に引き寄せられ吸気口５から効率良く吸引され、空間Ｒ内を効率良く浄化することができる。
【００４０】
なお、下側向きの風速を上側よりも早めるためには、例えば、別途送気ファンを配設して下側の送風口６に向けて送気するようにしてもよい。
【００４１】
（参考実施例）
先の実施例が、下側の送風口７からの風速を上側の送風口６からの風速よりも大きくしたのに対し、本実施例では、下側の送風口７からの送風量を上側の送風口６からの送風量よりも大きくしている。すなわち、本実施例では、上側の送風口６の開口面積を第１実施例と略同等に設定する一方、下側の送風口７の開口面積は上側の送風口６の開口面積よりもさらに大きくしている。
【００４２】
なお、その他の構成は第１実施例と同様である。
【００４３】
かかる構成とすることにより、空気清浄機Ａを例えば会議室等の浄化すべき空間Ｒの隅部Ｃなどに設置すれば、図６に示すように、上下への送風が互いに反対方向に循環して中途で合流し、空間Ｒ内の浮遊塵を巻き込んで吸気流Ｆにより吸気口５から吸入される。したがって、室内の有効スペースを狭めることなく、空間Ｒ全体の空気浄化を効果的に行うことができる。
【００４４】
このときに、垂直下方への送風量を大きくしているので、空間Ｒ内に沈降している塵なども効果的に巻き込んで吸気口５から吸引・浄化することができ、空気浄化効果が高まる。
【００４５】
特に、本実施例に係る空気清浄機Ａの吸気口５の高さは、呼吸する鼻・口の近傍に設定されており、この高さは通常の室内であれば床面よりも天井側に近く、空間Ｒ内では下層部分の空気清浄が上層部よりも効率が低下する傾向があるが、垂直下方への送風量を垂直上方への送風量より大きくすることでこれを解消し、なおかつ、垂直上方への送風が下方へ循環する際に、垂直下方へ送風されて上方へ循環しようとする気流を吸気口５の高さ近傍で押さえるので吸気流Ｆに乗りやすく、吸引効果が高まる。
【００４６】
以上実施例を通して説明してきたように、本発明によれば、浄化すべき空間Ｒ内において、邪魔にならない場所に空気清浄機Ａを容易に移動設置することができ、有効スペースを確保しながら効率良く空気浄化することができる。しかも、送風は上下方向のみなので、送風が人体に直接当たって不快感を与えるおそれがなく、しかも、送風を邪魔するような物がないので帯状のエアカーテン8a,8b を形成しやすく、誘引流f1,f2 も生起されやすくなる。
【００４７】
なお、上記各実施例では、台座１は円形としたがその形状に限定されるものではなく、また、本体ケーシング４を支柱２に固設したものとしているが、上下左右に首振自在に取付ける構造としてもよい。また、支柱２を円筒状の固定柱とせずに、伸縮自在に構成して本体ケーシング４の高さ位置を調整可能とすることもできる。
【００４８】
さらに、空気清浄機能部３を構成するフィルタ33の種類や配設する数は何ら限定されず、除塵、消臭作用を有するものであれば何を用いてもよい。また、フィルタ33に加え、塵埃を荷電して電気的に集塵する装置等を組み込んでもよい。
【００４９】
【発明の効果】
以上説明してきたように、本発明では以下の効果を奏する。
【００５２】
本発明では、設置面から所定高さで支持され、かつ移動自在に構成された本体ケーシング内に、ファン及びフィルタを内蔵し、同本体ケーシングの立面部に、略水平方向に吸気する吸気口を設け、さらに、本体ケーシングの上下端部には、吸気方向と略直交した上下垂直方向に送風する送風口を、端面全体にそれぞれ設け、前記上下垂直方向への送風により、この送風に対して直交方向に向かう誘引流を発生させ、しかも、前記本体ケーシングの下端部に設けた送風口からの風速を、前記本体ケーシングの上端部に設けた送風口からの風速よりも大きくしているため、垂直下方への送風により生起される誘引流の密度が大となるとともに、垂直下方に形成されるエアカーテン周りには、垂直上方に形成されるエアカーテン周りよりも低圧の領域が形成され、浄化すべき空間の下部の浮遊塵はもとより、上部の浮遊塵も低圧域に向かって下方へ導かれ、本体ケーシングに引き寄せられて吸気口から効率良く吸引・浄化することができる。
【図面の簡単な説明】
【図１】第１実施例に係る空気清浄機の使用状態を示す説明図である。
【図２】同空気清浄機の正面図である。
【図３】同空気清浄機の側面図である。
【図４】本体ケーシングの縦断面図である。
【図５】第１実施例に係る空気清浄機の吸気作用を示す説明図である。
【図６】第２実施例に係る空気清浄機の吸気状態を示す説明図である。
【符号の説明】
Ａ  空気清浄機
４  本体ケーシング
５  吸気口
６  送風口
７  送風口
31  ファン
33  フィルタ
【図１】
0004327271.tif 000002
【図２】
0004327271.tif 000003
【図３】
0004327271.tif 000004
【図４】
0004327271.tif 000005
【図５】
0004327271.tif 000006
【図６】
0004327271.tif 000007